(57)【要約】      （修正有）【課題】水槽に浮かべた箱船を浮力支持させその甲板を人力で容易に反復傾斜させ荷重又は客席付きの天秤棒を回転させるものであり、人工的反復規則的傾斜で大型構造物を浮力・平衡・回転・滑りなどの現象で運動エネルギーが効率的に取り出せる万能回転装置を提供する。【解決手段】手段の第一の物品形状はマル底箱舟甲で、それは半円筒缶１の上部に甲板２の中央に中心柱管４と動力伝達具６と甲板軸受穴５を甲板下部に隔壁３を該半円筒缶側面に側壁左右７と支持棒軸受左右８のような各部材それぞれを甲と乙を丙に浮かべたとき重さと浮力が釣り合い支持できるよう設計加工熔着した構造物品で、課題をすべて解決している。【選択図】図３
0003216825.tif 000002
【実用新案登録請求の範囲】
【請求項１】
半円筒缶１の上部に甲板２の中央に中心柱管４と動力伝達具６と甲板軸受穴５を甲板下部に隔壁３を該半円筒缶側面に側壁左右７と支持棒軸受左右８のような各部材それぞれを甲と乙を丙に浮かべたとき重さと浮力が釣り合い支持できるよう設計加工熔着した構造物品のマル底箱舟(以下甲という。)と
天秤棒１０中央に回転軸１１を熔着させ、荷重(客席)１３甲板軸受１４動力伝達具を設置し甲板の反復傾斜に滑らかに反応できる構造物品の天秤棒軸回転体(以下乙という。)と
甲を浮かせ浮力支持に適う水槽１６に支持棒１７甲板軸受１８を設置し甲の左右を水平安定支持する構造物品の浮力支持水槽(以下丙という)とで構成され、
丙をから状態にして中に甲を置き甲板軸受穴に天秤棒軸を差し込み、甲乙の動力伝達具をかみ合わせ調整ののち丙に水を徐々に入れ甲が浮き甲丙の支持棒軸受が浮遊状態になるように甲のバラストタンク内で調整し甲と丙を回転自在に連結支持するような甲乙丙の組み合わせにより、初めは手回しで乙の荷重又は客席を回転させ甲の操縦取っ手で上下動の甲板反復傾斜をさせ次第にスピードを上げタイミングとピッチと規則性を注視しながら回転させ、又データ蓄積によるロボット活用により回転させることを特徴とする万能回転装置。
【考案の詳細な説明】
【技術分野】
【０００１】
本考案は、浮力・偶力・重力・復原力・などの現象とその複合現象を人力又はロボットによる傾斜によって起きる甲板上の構造物の運動変化を追求し、人工条件状態下での自然に動く運動エネルギーの効率的取り込みに関するものです。
【背景技術】
【０００２】
従来のものの回転力は風水火石原子力などでその回転は自然力と資源と横軸回転が主流、人力のものは小型で小規模、従来のものは公害を出しまた設備が限定されるため配電設備の電柱を要し人類の意のままにならないのが現状です。
【先行技術文献】
【特許文献】
【０００３】
【特許文献１】特開２００１−１９３６２６号
【考案の概要】
【考案が解決しようとする課題】
【０００４】
従来のものの回転力は他力で限界と公害があり意のままにならない、所望なだけ欲しいなら人口条件状態下での自然に動く運動エネルギーによるしかない。水槽に浮かべた箱船を浮力支持させその甲板を人力又はロボットで容易に反復傾斜させ荷重又は客席付きの天秤棒を回転させるものであり、人力限界への挑戦として、木造和船で一人が何トンもの荷物を運び仕事することや、大型船の積荷が自然に移動しちゃう事実から人工的反復規則的傾斜で大型構造物を浮力・平衡・復原力・回転・滑りなどの現象で運動エネルギーが効率的に取り出せるかを解決しようとするものです。
【課題を解決するための手段】
【０００５】
手段の第一の物品形状はマル底箱舟甲で、それは半円筒缶１の上部に甲板２の中央に中心柱管４と動力伝達具６と甲板軸受穴５を甲板下部に隔壁３を該半円筒缶側面に側壁左右７と支持棒軸受左右８のような各部材それぞれを甲と乙を丙に浮かべたとき重さと浮力が釣り合い支持できるよう設計加工熔着した構造物品です。
第二の物品形状は天秤棒回転体乙で、それは天秤棒１０中央に回転軸１１を熔着させ、荷重(客席など)１３甲板軸受１４動力伝達具などを設置し甲板の反復傾斜に滑らかに反応できる構造物品です。
第三の物品形状は浮力支持水槽丙で、それは甲を浮かせ浮力支持に適う水槽１６に支持棒１７甲板軸受１８を設置し甲の左右を水平安定支持する構造物品です。
第四は甲・乙・丙の各構造物物品の組み合わせは次の通りで課題解決の手段とした。丙をから状態にして中に甲を置き甲板軸受穴に天秤棒軸を差し込み、甲乙の動力伝達具(歯車など)(窓)をかみ合わせ調整の後丙に水を徐々に入れ甲が浮き甲丙の支持棒軸受が浮遊状態になるように甲のバラストタンク内で調整し甲と丙を回転自在に連結支持するような甲乙丙の組み合わせにより、初めは手回しで乙の荷重又は客席を回転させ甲の操縦取っ手で上下動の甲板反復傾斜をさせ次第にスピードを上げタイミングとピッチと規則性を注視しながら回転させ、又データ蓄積によるロボット活用により回転させることです。
【考案の効果】
【０００６】
本考案の天秤棒回転体は、初動は手動で天秤棒の荷重が大でも甲板傾斜により容易に動く、初速とタイミングとピッチがキイとなり体力脳力総合力の発揮である。徐々に回転速度をあげて負荷をかけるようすれば、個人差能力差はあるが経験により上達し、データと規則性からロボットを活用する。
【図面の簡単な説明】
【０００７】
【図１】図１は本案の設置した時の中央断面図である。（実施例１）
【図２】図２は本案の平面図である。（実施例２）
【図３】図３は本案のマル底箱舟の構造説明図である。(実施例３)
【図４】図４は本案の天秤棒回転体の説明図である。(実施例４)
【考案を実施するための形態】
【０００８】
見える化・実感触化での大型化について、回転半径は大きいほど角速度もトルクも大で目視・実体験もしやすい、出願者の資力に限定され天秤棒が直径１ｍ位での実体験結果である。今後は試作機シミュレーションなどの後実施したい。
【実施例１】
【０００９】
マル底箱舟は完全に浮力と重力が一致した浮遊状態で回転自在に支持棒と軸受を連結する。マル底と水の接触面は抵抗は少なく容易に上下できる。上下のふり幅と傾斜限界の枠・ストッパー・ブレーキ・安全装置・速度調整装置など必要に応じ設置する。荷重と客席など左右の重量比など工夫を要し操縦は二人のコンビネーションで最大効果を狙う。
【実施例２】
【００１０】
水の出し入れは浮力支持に重要で図に記入はないが適宜行う。一辺が４〜５ｍの水槽なら木桶や金属枠桶でもいい、地面を掘ってもいいが大型化すれば川・湖沼・海でも可能。
【実施例３】
【００１１】
回転体の仕事量を増し重量荷重を浮遊状態で支持する基盤台としてのっ船である。構造設計鋼材熔接強度計算など船舶建造に従う。図の示す趣旨の通り熔着し、バラストタンクなどの機能は手動で水や砂袋で代替えしてかまわない。半円筒缶はコルゲート管・鋼管パイプを半切しても良い。操縦取っ手の位置大きさは人数などで調整する。箱舟の大きさは甲板半径と荷重を大に可能で従来の機械と比較にならない浮力による運動エネ期待する。
【実施例４】
【００１２】
甲板の傾斜は浮力と重力の接点で平衡であり、左右の荷重の不均衡は問題ではない、むしろ傾斜点を原点とすれば、そこに復原し効率さえよければ結果よしとする。左右の荷重タイミングピッチなど色々変えてデータを蓄積し効果的入力とロボット活用につなげる。復原力の作用有無など顕在の理論でなく潜在エネ開発に資するための物品構造の組み合わせでありご理解賜りたい。
動力伝達はベアリング・キャスター・車・軌道・歯車・ベルト・チェーンなど、また窓と歯車の位置については設計段階で適宜決めてよい。荷重は錘・砂袋・コンクリート塊・岩石・人など。
【産業上の利用可能性】
【００１３】
エコ発電・運動エネルギーについての社会的理解が不十分で本考案が契機で行き渡れば本望である。手始めに遊具競技用にエコ生活体験拠点で実体験しエコの素晴らしさを社会的に共有し更に船と浮力は巨大化(重量)が容易でわかりやすい、操作のロボット化など一般にも普及させたい。
【符号の説明】
【００１４】
１、半円筒缶  
２、甲板  
３、隔壁  
４、中心柱管  
５、甲板軸受穴  
６、動力伝達具(窓)  
７、側壁左右    
８、支持棒軸受左右  
９、操縦取っ手  
１０、バラストタンク  
１１、天秤棒  
１２、回転軸  
１３、荷重(客席)  
１４、甲板軸受  
１５、動力伝達具(歯車)  
１６、水槽  
１７、支持棒  
１８、甲板軸受  
１９、トルク計測機発電機  
２０、人力
【図１】
0003216825.tif 000003
【図２】
0003216825.tif 000004
【図３】
0003216825.tif 000005
【図４】
0003216825.tif 000006
【手続補正書】
【提出日】平成30年4月13日(2018.4.13)
【手続補正１】
【補正対象書類名】実用新案登録請求の範囲
【補正対象項目名】全文
【補正方法】変更
【補正の内容】
【実用新案登録請求の範囲】
【請求項１】
半円筒缶１の上部に甲板２の中央に中心柱管４と動力伝達具６と甲板軸受穴５を甲板下部に隔壁３を該半円筒缶側面に側壁左右７と支持棒軸受左右８のような各部材それぞれを熔着した構造物品のマル底箱舟「以下甲という。」と、
天秤棒１０中央に回転軸１１を熔着させ荷重(客席)１３甲板軸受１４動力伝達具設置した構造物品天秤棒回転体「以下乙という。」と、
甲を浮かせ浮力支持に適う水槽１６に支持棒１７を設置した構造物品の浮力支持水槽「以下丙という。」とで成り立ち，
甲乙丙の構造物品の相互関係は甲は甲と乙を丙に浮かべたとき重さと浮力が釣り合い支持できるよう設計加工熔着した構造物であり乙は甲板の反復傾斜に滑らかに反応できるもの丙は甲の左右を水平安定支持する構造物品であり、
甲乙丙の各構造物を組み合わせての操縦は丙をから状態にして中に甲を置き甲板軸受穴に天棒軸を差し込み甲乙の動力伝達具をかみ合わせ調整ののち丙に水を徐々に入れ甲が浮き甲丙の支持棒軸受が浮遊状態になるように甲のバラストタンク内で調整し甲と丙を回転自在に連結支持するような甲乙丙の組み合わせにより、初めは手回しで乙の荷重又は客席を回転させ甲の操縦取っ手で上下動の甲板反復傾斜をさせ次第にスピードを上げタイミングとピッチと規則性を注視しながら回転させることを特徴とする万能回転装置。